(57)【特許請求の範囲】
【請求項１】
互いに連なる複数のダクト部材と、
隣接する２つのダクト部材どうしを連結する連結部材と、を備え、
前記連結部材が、
前記２つのダクト部材の外側面どうし間に跨る連結本体部と、
前記連結本体部における前記跨ぐ方向の両側部の縁部にそれぞれ複数設けられ、かつ前記跨ぐ方向と交差する方向に並べられた定着爪と、
を有し、各定着爪が、前記連結本体部から前記跨ぐ方向及び前記並び方向と交差する方向へ突出して、対応するダクト部材に突き刺さって定着されており、
前記連結本体部の前記跨ぐ方向の一側部の縁部に設けられた定着爪と、前記跨ぐ方向の他側部の縁部に設けられた定着爪とが、前記並び方向にずれていることを特徴とする空調ダクト装置。
【請求項２】
前記連結本体部が、前記跨ぐ方向に短く、前記並び方向に長い平板状であることを特徴とする請求項１に記載の空調ダクト装置。
【請求項３】
前記連結本体部の両側部における隣接する定着爪どうしの間には、Ｖ字凹部が形成されていることを特徴とする請求項１又は２に記載の空調ダクト装置。
【請求項４】
２つのダクト部材どうしを連結する連結部材であって、
前記２つのダクト部材の外側面どうし間に跨る連結本体部と、
前記連結本体部における前記跨ぐ方向の両側部の縁部にそれぞれ複数設けられ、かつ前記跨ぐ方向と交差する方向に並べられた定着爪と、
を有し、各定着爪が、前記連結本体部から前記跨ぐ方向及び前記並び方向と交差する方向へ突出して、対応するダクト部材に突刺可能であり、
前記連結本体部の前記跨ぐ方向の一側部の縁部に設けられた定着爪と、前記跨ぐ方向の他側部の縁部に設けられた定着爪とが、前記並び方向にずれていることを特徴とする空調ダクト用連結部材。
【発明の詳細な説明】
【技術分野】
【０００１】
本発明は、建物の空調ダクト装置及びそのダクト部材どうしを連結する連結部材に関する。
【背景技術】
【０００２】
一般に空調ダクト装置は、複数のダクト部材を一列に連ねることによって構成されている。各ダクト部材には、フランジが設けられている。隣接する２つのダクト部材のフランジどうしが、ビス止めや溶接等によって接合されている。
特許文献１では、ダクト部材からフランジを無くし、代わりに、ダクト部材とは別体の一対の接続部材を介して、隣接するダクト部材どうしを連結している。各接続部材を、対応するダクト部材にアルミテープで貼り付け、かつ一対の接続部材どうしをリベットまたは接着剤で接合している。
【先行技術文献】
【特許文献】
【０００３】
【特許文献１】特開平１０−６７３２３号公報
【発明の概要】
【発明が解決しようとする課題】
【０００４】
ダクト部材のフランジどうしを連結する構造は、ダクト部材の周囲にフランジを配置するためのスペースを確保する必要がある。
特許文献１では、各接続部材とダクト部材との接合作業、及び一対の接続部材どうしの接合作業を要し、煩雑である。
本発明は、かかる事情に鑑み、空調ダクト装置における２つのダクト部材を簡単に連結でき、かつ配置スペースを小さくできるダクト連結構造を提供することを目的とする。
【課題を解決するための手段】
【０００５】
前記問題点を解決するために、本発明に係る空調ダクト装置は、互いに連なる複数のダクト部材と、
隣接する２つのダクト部材どうしを連結する連結部材と、を備え、
前記連結部材が、
前記２つのダクト部材の外側面どうし間に跨る連結本体部と、
前記連結本体部における前記跨ぐ方向の両側部にそれぞれ複数設けられ、かつ前記跨ぐ方向と交差する方向に並べられた定着爪と、
を有し、各定着爪が、前記連結本体部から前記跨ぐ方向及び前記並び方向と交差する方向へ突出して、対応するダクト部材に突き刺さって定着されていることを特徴とする。
また、本発明に係る空調ダクト用連結部材は、２つのダクト部材どうしを連結する連結部材であって、
前記２つのダクト部材の外側面どうし間に跨る連結本体部と、
前記連結本体部における前記跨ぐ方向の両側部にそれぞれ複数設けられ、かつ前記跨ぐ方向と交差する方向に並べられた定着爪と、
を有し、各定着爪が、前記連結本体部から前記跨ぐ方向及び前記並び方向と交差する方向へ突出して、対応するダクト部材に突刺可能であることを特徴とする。
【０００６】
前記空調ダクト装置における２つのダクト部材どうしを連結する際は、連結部材の連結本体部を、これらダクト部材の外側面どうし間に跨るように配置するとともに、各定着爪を、対応するダクト部材に突き刺す。これによって、２つのダクト部材を簡単に連結できる。また、ダクト部材の外側面上には、連結部材の連結本体部が配置されるだけであり、定着爪はダクト部材の内部に埋められるから、殆ど場所を取らず、連結部材を配置するための所要スペースを小さくできる。
【０００７】
前記連結本体部の一側部に設けられた定着爪と、他側部に設けられた定着爪とが、前記並び方向にずれていることが好ましい。
これによって、連結部材に加わる力を分散できる。
【０００８】
前記連結本体部の両側部における隣接する定着爪どうしの間には、Ｖ字凹部が形成されていることが好ましい。
これによって、定着爪と連結本体部との交差部に生じる応力を緩和し、又は逃がすことができる。
【発明の効果】
【０００９】
本発明によれば、２つのダクト部材を連結部材によって簡単に連結できる。かつ、連結部材ための配置スペースを小さくできる。
【図面の簡単な説明】
【００１０】
【図１】図１（ａ）は、本発明の一実施形態に係る空調ダクト装置における複数のダクト部材のうち隣接する２つのダクト部材を連結状態で示す斜視図である。図１（ｂ）は、前記２つのダクト部材どうしの連結部にアルミテープを巻いた状態の斜視図である。
【図２】図２は、前記２つのダクト部材の連結部の平面図である。
【図３】図３は、図２のＩＩＩ−ＩＩＩ線に沿う正面階段断面図である。
【図４】図４は、図３のＩＶ−ＩＶ線に沿う側面断面図である。
【図５】図５は、前記隣接する２つのダクト部材及び連結部材の分解斜視図である。
【図６】図６は、前記連結部材の斜視図である。
【発明を実施するための形態】
【００１１】
以下、本発明の一実施形態を図面にしたがって説明する。
図１（ａ）は、建物の空調ダクト装置１を示したものである。空調ダクト装置１は、複数（図では２つだけ図示）のダクト部材１０と、連結部材２０を備えている。複数のダクト部材１０が、一列に連なっている。
【００１２】
図５に示すように、各ダクト部材１０は、ダクト本体１１を含む。ダクト本体１１は、グラスウールや発泡樹脂にて構成されている。ダクト本体１１は、四角形の筒形状になっている。図３及び図４に示すように、ダクト本体１１の外面は、外側金属層１５によって覆われている。ダクト本体１１の内面は、内側金属層１６によって覆われている。金属層１５，１６は、アルミ箔にて構成されている。金属層１５，１６によって、ダクト部材１０の不燃性が確保されている。
【００１３】
図５に示すように、各ダクト本体１１の一端部は、角錐状に突出する凸錐端部１３となっている。各ダクト本体１１の他端部は、凹角錐状に凹む凹錐端部１４となっている。隣接する２つのダクト部材１０のうち、一方のダクト部材１０の凸錐端部１３が、他方のダクト部材１０の凹錐端部１４に嵌められている。更に、各ダクト部材１０の４つの外側面は、それぞれ他方のダクト部材１０の対応する外側面と面一になっている。
【００１４】
図１（ａ）及び図５に示すように、隣接する２つのダクト部材１０は、連結部材２０によって連ねられている。これらダクト部材１０，１０間には、４つの連結部材２０が設けられている。４つの連結部材２０によって、ダクト部材１０，１０が四方から連結されている。
図１（ｂ）に示すように、更に、これら２つのダクト部材１０どうし間には、アルミ粘着テープ３が巻き付けられている。アルミ粘着テープ３は、２つのダクト部材１０に跨るとともに、連結部材２０に被さっている。
【００１５】
図６に示すように、連結部材２０は、連結本体部２１と、複数の定着爪２３とを有している。連結部材２０の材質は、例えば亜鉛メッキ鋼板にて構成されているが、本発明がこれに限定されるものではない。
図２及び図３に示すように、連結本体部２１は、平板状になっている。連結本体部２１は、隣接する２つのダクト部材１０の外側面どうし間に跨るようにして、これらダクト部材１０，１０の外側面に添うように配置されている。
【００１６】
図６に示すように、連結本体部２１におけるダクト軸方向Ｌ（２つのダクト部材１０を跨ぐ方向）の両側部にそれぞれ複数の定着爪２３が設けられている。各定着爪２３は、連結本体部２１からダクト厚み方向ｔ（前記跨ぐ方向及び並び方向と交差する方向）へ突出されている。図４に示すように、各定着爪２３は、先細に尖った三角形状になっている。定着爪２３の長さ（連結本体部２１からの突出量）は、ダクト本体１１の厚みよりも小さい。
【００１７】
図２及び図６に示すように、ダクト軸方向Ｌ（図２において左右）の各側部における定着爪２３，２３…どうしは、ダクト軸方向Ｌと交差する並び方向ｗに並べられている。更に、ダクト軸方向Ｌにおける一側部（図２において例えば左側）の定着爪２３と、他側部（図２において例えば右側）の定着爪２３とは、並び方向ｗ（図２において上下）にずれている。
【００１８】
図３に示すように、前記一側部（図３において例えば左側）の定着爪２３は、一側（図３において左側）のダクト部材１０に突き刺さって定着されている。前記他側部（図３において右側）の定着爪２３は、他側（図３において右側）のダクト部材１０に突き刺さって定着されている。図４に示すように、定着爪２３の長さがダクト本体１１の厚みよりも小さいために、定着爪２３の全体がダクト本体１１の壁内に埋まっている。
【００１９】
図２に示すように、連結本体部２１の両側部における隣接する定着爪２３どうしの間には、Ｖ字凹部２５が形成されている。Ｖ字凹部２５は、定着爪２３から遠ざかるにしたがって幅狭になるようにＶ字状に形成されている。
【００２０】
空調ダクト装置１における２つのダクト部材１０どうしを連結する際は、これらダクト部材１０どうしを一列に配置して、一方のダクト部材１０の凸錐端部１３を他方のダクト部材１０の凹錐端部１４に嵌め込む。
続いて、連結部材２０の連結本体部２１を、ダクト部材１０，１０の外側面どうし間を跨ぐように配置するとともに、両側部の定着爪２３を、対応するダクト部材１０にそれぞれ突き刺す。４つの連結部材２０によって、２つのダクト部材１０，１０を四方から連結する。
その後、これらダクト部材１０，１０の継ぎ目に沿ってアルミ粘着テープ３を巻き付け、連結部材２０をアルミ粘着テープ３で覆う。
このようにして、２つのダクト部材１０を簡単に連結できる。
ダクト部材１０の外側面には、連結本体部２１が配置されるだけであり、定着爪２３はダクト部材１０の内部に埋められるから、殆ど場所を取らず、連結部材２０を配置するための所要スペースを小さくできる。
連結本体部２１の一側部と他側部の定着爪２３，２３どうしを並び方向ｗにずらすことによって、連結部材２０に加わる力を分散できる。
連結本体部２１にはＶ字凹部２５を形成することによって、定着爪２３と連結本体部２１との屈曲部に生じる応力を緩和し、又は逃がすことができる。
【００２１】
本発明は、前記実施形態に限られず、その趣旨を逸脱しない範囲内で種々の改変をなすことができる。
例えば、ダクト部材１０の断面形状は、四角形に限られず、円形であってもよく、六角形等の四角形以外の多角形であってもよい。
ダクト本体１１の端面が、ダクト本体１１の外側面に対して垂直な平坦面になっていてもよい。
本発明は、ダクト部材１０どうしを一列に連結する場合だけでなく、幹ダクトから枝ダクトへの分岐部にも適用可能である。
【産業上の利用可能性】
【００２２】
本発明は、例えば建物の空調設備に適用できる。
【符号の説明】
【００２３】
１          空調ダクト装置
３          アルミ粘着テープ
１０        ダクト部材
１１        ダクト本体
１３        凸錐端部
１４        凹錐端部
１５        外側金属層
１６        内側金属層
２０        連結部材
２１        連結本体部
２３        定着爪
２５        Ｖ字凹部
ｗ          並び方向
Ｌ          ダクト軸方向（跨ぐ方向）
【図１】
0006699932.tif 000002
【図２】
0006699932.tif 000003
【図３】
0006699932.tif 000004
【図４】
0006699932.tif 000005
【図５】
0006699932.tif 000006
【図６】
0006699932.tif 000007